(57)【要約】【課題】回線を捕捉したときに発生する通信端末装置や電話機の故障を抑制する手段を提供する。【解決手段】回線捕捉検出部で回線が捕捉されていないことを検出した状態において、回線電圧検出部で第１の回線電圧を検出し、回線捕捉検出部で回線が捕捉されたことを検出したとき、切替部により回線と電話機とを切断した状態において、回線電圧検出部で第２の回線電圧を検出するとともに、回線電流検出部で回線電流を検出し、第１の回線電圧、第２の回線電圧、および回線電流に基づいて異常な抵抗値の交換機が接続されたことを検出した場合、回線と電話機を切断する。【選択図】        図２
2020072287.tif 000002
【特許請求の範囲】
【請求項１】
回線を介して交換機と接続され、外付の電話機が接続可能なファクシミリ通信機能を有する通信端末装置において、
回線の電圧を検出する回線電圧検出部と、
回線の電流を検出する回線電流検出部と、
前記回線電圧検出部が検出した電圧および前記回線電流検出部が検出した電流に基づいて回線に接続された交換機側の特性を求める算出部と、
回線が捕捉されたことを検出する回線捕捉検出部と、
回線と電話機との接続および切断を切り替える切替部と、
前記回線電圧検出部、前記回線電流検出部、前記算出部、前記回線捕捉検出部、および前記切替部を制御する回線制御部と、
を有し、
前記回線制御部は、
前記回線捕捉検出部で回線が捕捉されていないことを検出した状態において、前記回線電圧検出部で第１の回線電圧を検出し、
前記回線捕捉検出部で回線が捕捉されたことを検出したとき、前記切替部により回線と電話機とを切断した状態において、前記回線電圧検出部で第２の回線電圧を検出するとともに、前記回線電流検出部で回線電流を検出し、
前記第１の回線電圧、前記第２の回線電圧、および前記回線電流に基づいて異常な抵抗値の交換機が接続されたことを検出した場合、回線と電話機を切断することを特徴とする通信端末装置。
【請求項２】
請求項１に記載の通信端末装置において、
前記算出部は、交換機の抵抗値を算出する抵抗値算出部であり、
前記回線制御部は、
前記第１の回線電圧、前記第２の回線電圧、および前記回線電流に基づいて前記抵抗値算出部で交換機の抵抗値を算出し、
前記抵抗値に基づいて回線の異常を検出した場合、回線と電話機を切断することを特徴とする通信端末装置。
【請求項３】
請求項２に記載の通信端末装置において、
前記回線捕捉検出部は、回線からの電流を検知して電話機のフックアップを検出するフックアップ検出部であり、
前記フックアップ検出部は、回線からの電流を検知して回線が捕捉された状態を検出することを特徴とする通信端末装置。
【請求項４】
請求項３に記載の通信端末装置において、
回線との間で直流ループを形成する直流ループ形成部を有し、
前記回線制御部は、
前記フックアップ検出部でフックアップを検出すると、前記直流ループ形成部で直流ループ形成するとともに、前記切替部で回線と電話機を切断した状態において、前記回線電圧検出部で第２の回線電圧を検出し、前記回線電流検出部で回線電流を検出することを特徴とする通信端末装置。
【請求項５】
請求項２に記載の通信端末装置において、
回線からの呼出信号を検出する呼出信号検出部と、
回線との間で直流ループを形成する直流ループ形成部と、
を有し、
前記回線捕捉検出部は、回線との間で直流ループが形成されたことを検出する直流ループ検出部であり、
前記回線制御部は、ファクシミリ受信時、前記呼出信号検出部で前記呼出信号を検出すると、前記直流ループ形成部で直流ループを形成し、
前記直流ループ検出部は、前記直流ループ形成部で直流ループが形成されたことを検出して回線が捕捉された状態を検出することを特徴とする通信端末装置。
【請求項６】
請求項２に記載の通信端末装置において、
回線との間で直流ループを形成する直流ループ形成部を有し、
前記回線捕捉検出部は、回線との間で直流ループが形成されたことを検出する直流ループ検出部であり、
前記回線制御部は、ファクシミリ送信時、前記直流ループ形成部で直流ループを形成し、
前記直流ループ検出部は、前記直流ループ形成部で直流ループが形成されたことを検出して回線が捕捉された状態を検出することを特徴とする通信端末装置。
【請求項７】
請求項５または請求項６に記載の通信端末装置において、
前記回線制御部は、
前記直流ループ検出部で直流ループが形成されたことを検出すると、前記切替部で回線と電話機を切断した状態において、前記回線電圧検出部で第２の回線電圧を検出し、前記回線電流検出部で回線電流を検出することを特徴とする通信端末装置。
【請求項８】
請求項１から請求項７のいずれか１項に記載の通信端末装置において、
前記回線制御部は、
前記抵抗値が閾値未満であるとき、異常な回線に接続されていると判断することを特徴とする通信端末装置。
【請求項９】
請求項１から請求項８のいずれか１項に記載の通信端末装置において、
前記回線制御部は、
前記抵抗値に基づいて異常な回線に接続されていると判断した場合、回線異常の警告出力を行うことを特徴とする通信端末装置。
【請求項１０】
請求項１から請求項９のいずれか１項に記載の通信端末装置において、
前記抵抗値算出部は、
抵抗値＝（前記第１の回線電圧−前記第２の回線電圧）／前記回線電流
の計算式により、前記抵抗値を算出することを特徴とする通信端末装置。
【発明の詳細な説明】
【技術分野】
【０００１】
本発明は、ファクシミリ通信機能を有する通信端末装置に関する。
【背景技術】
【０００２】
従来の通信端末装置は、回線を捕捉するときに、回線電圧または回線電流が閾値を超えることを検知して回線からの過大電圧や過大電流を検知するようにしている（例えば、特許文献１参照）。
【先行技術文献】
【特許文献】
【０００３】
【特許文献１】特開２０１３−２１１７９１号公報
【発明の概要】
【発明が解決しようとする課題】
【０００４】
しかしながら、従来の技術においては、検出した回線電圧または回線電流が閾値以下であっても、通信端末装置と回線を介して接続された交換機の抵抗値が所定の抵抗値より小さい場合、通信端末装置に接続された外付の電話機で回線を捕捉したとき、直流抵抗値が小さい電話機が接続されている場合は通信端末装置に過大な電流が流れることがあり、通信端末装置や電話機が故障してしまうことがあるという問題がある。
本発明は、このような問題を解決することを課題とし、回線を捕捉したときに発生する通信端末装置や電話機の故障を抑制することを目的とする。
【課題を解決するための手段】
【０００５】
そのため、本発明は、回線を介して交換機と接続され、外付の電話機が接続可能なファクシミリ通信機能を有する通信端末装置において、回線の電圧を検出する回線電圧検出部と、回線の電流を検出する回線電流検出部と、前記回線電圧検出部が検出した電圧および前記回線電流検出部が検出した電流に基づいて回線に接続された交換機側の特性を求める算出部と、回線が捕捉されたことを検出する回線捕捉検出部と、回線と電話機との接続および切断を切り替える切替部と、前記回線電圧検出部、前記回線電流検出部、前記算出部、前記回線捕捉検出部、および前記切替部を制御する回線制御部と、を有し、前記回線制御部は、前記回線捕捉検出部で回線が捕捉されていないことを検出した状態において、前記回線電圧検出部で第１の回線電圧を検出し、前記回線捕捉検出部で回線が捕捉されたことを検出したとき、前記切替部により回線と電話機とを切断した状態において、前記回線電圧検出部で第２の回線電圧を検出するとともに、前記回線電流検出部で回線電流を検出し、前記第１の回線電圧、前記第２の回線電圧、および前記回線電流に基づいて異常な抵抗値の交換機が接続されたことを検出した場合、回線と電話機を切断することを特徴とする。
【発明の効果】
【０００６】
このようにした本発明は、回線を捕捉したときに発生する通信端末装置や電話機の故障を抑制することができるという効果が得られる。
【図面の簡単な説明】
【０００７】
【図１】実施例における通信端末装置の構成および回線網との接続を示すブロック図
【図２】実施例における通信端末装置の回線制御部の構成を示すブロック図
【図３】実施例における回線制御部の動作を示すタイムチャート
【図４】実施例における回線制御部の動作を示すタイムチャート
【図５】実施例における回線制御部の動作を示すタイムチャート
【図６】実施例における回線制御部の動作を示すタイムチャート
【図７】実施例における回線制御部の動作を示すタイムチャート
【図８】実施例における回線制御部の動作を示すタイムチャート
【図９】実施例における回線制御部の動作を示すタイムチャート
【図１０】実施例における回線制御部の動作を示すタイムチャート
【図１１】実施例における回路の説明図
【図１２】実施例における回路制御部の動作を示すフローチャート
【図１３】実施例における直流保持およびリレーの動作状態を示す説明図
【図１４】実施例における交換機の抵抗値の計算方法の説明図
【発明を実施するための形態】
【０００８】
以下、図面を参照して本発明による通信端末装置の実施例を説明する。
【実施例】
【０００９】
図１は実施例における通信端末装置の構成および回線網との接続を示すブロック図である。
図１において、通信端末装置１０２は、回線を介して交換機と接続され、外付の電話機が接続可能なファクシミリ通信機能を有するものであり、例えばファクシミリ装置である。通信端末装置１０２は、通信回線（以下、「回線」という。）１０１ａを介して交換機１０９と接続され、交換機１０９との間で電話通信およびファクシミリ通信を行う。また、交換機１０９は、回線網１０１ｂを介して他の交換機と通信可能に接続されている。
【００１０】
通信端末装置１０２は、回線制御部１０３と、スキャナ部１０４と、印刷部１０５と、回線端子１０７と、電話端子１０８とを有している。
回線制御部１０３は、回線端子１０７を介して電話回線としての回線１０１ａと接続され、回線１０１ａに接続された交換機１０９との間で通話のための電話通信やファクシミリ通信を行うものである。また、回線制御部１０３は、電話端子１０８を介して外付の電話機である外付電話１０６と接続されている。さらに、回線制御部１０３は、スキャナ部１０４および印刷部１０５と接続されている。
なお、回線制御部１０３の詳細は、後述する。
【００１１】
スキャナ部１０４は、原稿を読取り、画像データに変換するものである。スキャナ部１０４は、回線制御部１０３と接続され、読み取った原稿の画像データを、回線制御部１０３を通じて送信先の通信端末装置に回線１０１ａおよび交換機１０９を介してファクシミリとして送信する。
また、スキャナ部１０４は、印刷部１０５と接続され、読み取った原稿の画像データを印刷部１０５へ送り、原稿のコピーとして印刷する。
【００１２】
印刷部１０５は、画像データを印刷媒体に印刷するものである。印刷部１０５は、回線１０１ａおよび交換機１０９を介して接続された送信元の通信装置から回線制御部１０３を介してファクシミリとして送られた原稿の画像データを印刷する。また、印刷部１０５は、スキャナ部１０４から送られた原稿の画像データを印刷する。さらに、回線制御部１０３で生成された画像データを印刷する。
なお、電話端子１０８に接続された外付電話１０６は、回線制御部１０３、回線１０１ａおよび交換機１０９を介して相手側の電話機との間で通話を行うために使用される。
【００１３】
図２は実施例における通信端末装置の回線制御部の構成を示すブロック図である。
図２において、通信端末装置１０２の回線制御部１０３は、ホスト部１１０と、通信制御部２００と、モデム２１０と、絶縁受渡部２２０と、シリコンＤＡＡ（ダイレクト・アクセス・アレンジメント）２３０と、直流ループ形成部２４０と、リレー２５０と、ダイオードブリッジ２６０と、リレー駆動回路２７０と、外付電話フックアップ検出部２８０とを制御し、図１に示す回線１０１ｂを介して接続された交換機１０９や外付電話１０６との間において電話通信やファクシミリ通信等の通信制御を行うものである。
【００１４】
なお、回線制御部１０３は、図１に示す回線１０１ａに接続される回線端子１０７と、外付電話１０６に接続される電話端子１０８を有している。
【００１５】
通信制御部２００は、回線制御部１０３の全体の動作を制御するものであり、ＦＡＸ通信処理部２０１と、リング検出判断部２０２と、直流ループ形成指示部２０３と、直流ループ形成判断部２０４と、リレー制御部２０５と、外付電話フックアップ判断部２０６と、回線電圧取得部２０７と、回線電流取得部２０８と、交換機側抵抗値計算部２０９とを有している。
ＦＡＸ通信処理部２０１は、後述するモデム２１０の制御Ｉ／Ｆ２１１と接続され、回線におけるファクシミリ信号を授受するものである。
【００１６】
リング検出判断部２０２は、回線から到来するリング信号を検出するものである。リング検出判断部２０２は、モデム２１０の制御Ｉ／Ｆ２１１と接続され、回線から到来するリング信号が、制御Ｉ／Ｆ２１１で通信制御部２００が判別可能な信号に変換され、リング信号のＯＮ時間およびＯＦＦ時間を判定してリング信号が到来したか否かを判断し、リング信号を検出する。
【００１７】
直流ループ形成指示部２０３は、モデム２１０の制御Ｉ／Ｆ２１１と接続され、直流ループ形成部２４０に回線の直流ループの形成を指示するものである。
回線捕捉検出部としての直流ループ形成判断部２０４は、モデム２１０の制御Ｉ／Ｆ２１１と接続され、直流ループ形成部２４０が回線の直流を保持したか否か、即ち直流ループ形成部２４０により直流ループが形成されたか否かを判断するものである。
【００１８】
直流ループ形成判断部２０４は、直流ループ形成部２４０により直流ループが形成されたと判断して、回線が捕捉されたこと、即ち図１に示す交換機１０９との間で通信が可能な状態であることを検出する。
リレー制御部２０５は、リレー駆動部２７０と接続され、リレー２５０の動作を制御するものである。
【００１９】
回線捕捉検出部としての外付電話フックアップ判断部２０６は、外付電話フックアップ検出部２８０と接続され、外付電話フックアップ検出部２８０からの出力を所定の時間監視し、外付電話１０６がフックアップされたか否かを判断するものである。
外付電話フックアップ判断部２０６は、外付電話１０６がフックアップされたと判断して、回線が捕捉されたこと、即ち図１に示す交換機１０９との間で通信が可能な状態であることを検出する。
【００２０】
回線電圧取得部２０７は、モデム２１０の制御Ｉ／Ｆ２１１および交換機側抵抗値計算部２０９と接続され、シリコンＤＡＡ２３０内の回線電圧検出部２３３で得た回線電圧を取得するものである。
回線電流検出部としての回線電流取得部２０８は、モデム２１０の制御Ｉ／Ｆ２１１および交換機側抵抗値計算部２０９と接続され、直流ループ形成部２４０に流れる回線電流をシリコンＤＡＡ２３０内のＩ／Ｆ２３１を介して検出し、取得するものである。
【００２１】
算出部（抵抗値算出部）としての交換機側抵抗値計算部２０９は、交換機側の特性を求めるものであり、ホスト部１１０の交換機側抵抗値判断部１１１と接続され、回線電圧取得部２０７で得た回線電圧と、回線電流取得部２０８で得た回線電流とに基づいて、図１に示す回線１０１ａに接続された交換機１０９の抵抗値を算出するものである。
モデム２１０は、回線からの信号を通信制御部２００が処理可能な信号に変換したり、通信制御部２００からの信号を変換して回線に送出したりするものであり、制御Ｉ／Ｆ２１１と、Ｉ／Ｆ２１２とを有している。
【００２２】
制御Ｉ／Ｆ２１１は、モデム２１０と通信制御部２００との間で信号の授受を行うためのインターフェースである。
Ｉ／Ｆ２１２は、制御Ｉ／Ｆ２１１および絶縁受渡部２２０と接続され、モデム２１０とシリコンＤＡＡ２３０との間で信号の授受を行うためのインターフェースである。
【００２３】
絶縁受渡部２２０は、回線の１次側と２次側を直流的に分離するものであり、シリコンＤＡＡ２３０内のＩ／Ｆ２３１およびモデム２１０内のＩ／Ｆ２１２と接続されている。
シリコンＤＡＡ２３０は、回線とモデム２１０との間に配置され、回線に対して信号の送出や受信を行うものであり、Ｉ／Ｆ２３１と、リング検出部２３２と、回線電圧検出部２３３とを有している。
【００２４】
Ｉ／Ｆ２３１は、絶縁受渡部２２０、リング検出部２３２、回線電圧検出部２３３、および直流ループ形成部２４０と接続されている。Ｉ／Ｆ２３１は、回線からの信号をモデム２１０に伝えたり、モデム２１０からの信号を回線へ送出したりするインターフェースである。
呼出信号検出部としてのリング検出部２３２は、ダイオードブリッジ２６０の交流入力側Ａおよび交流入力側Ｂと、回線端子１０７と、リレー２５０と、回線電圧検出部２３３とに接続され、回線から到来する呼出信号としてのリング信号を検出して通信制御部２００のリング検出判断部２０２に受け渡すためのインターフェースである。
【００２５】
回線電圧検出部２３３は、回線端子１０７と接続され、回線の電圧を検出するために回線端子１０７の電圧を検出するものである。
直流ループ形成部２４０は、ダイオードブリッジ２６０の＋側と、ダイオードブリッジ２６０の−側と、シリコンＤＡＡ２３０のＩ／Ｆ２３１およびグランドとに接続され、回線の直流を保持して回線との間で直流ループを形成し、回線電流値をシリコンＤＡＡ２３０のＩ／Ｆ２３１に伝えるものである。
【００２６】
直流ループを形成することにより、シリコンＤＡＡ２３０が回線に接続した状態（回線を捕捉した状態）になる。これにより、ファクシミリ通信等が可能になる。
ダイオードブリッジ２６０は、回線の直流の極性を直流ループ形成部２４０に合わせるものであり、回線の極性が反転した場合であっても、直流ループ形成部２４０の一方向の直流が供給される。
【００２７】
切替部としてのリレー２５０は、電話端子１０８と、外付電話フックアップ検出部２８０とに接続され、電話端子１０８との接続と切断を切替えて、回線と外付電話１０６との接続および切断を切り替えるものである。通信端末装置１０２が待機状態の場合、リレー２５０は、図示した状態で電話端子１０８と接続し、ユーザが外付電話１０６を使用して通話することができるようになる。一方、ファクシミリ通信を行う場合、リレー２５０は、電話端子１０８との接続を切断して外付電話１０６の送話機からのノイズ等がシリコンＤＡＡ２３０を通じてモデム２１０に入らないようにする。
【００２８】
リレー駆動回路２７０は、コイルを介して電源と接続され、またリレー２５０とに接続され、リレー２５０に設けられたコイルを駆動するものである。
外付電話フックアップ検出部２８０は、外付電話１０６がフックアップされた場合、回線の直流で動作し、外付電話１０６のオフフックおよびオンフックを検出するものである。この外付電話フックアップ検出部２８０は、外付電話フックアップ判断部２０６とともに、回線からの電流を検知して電話機のフックアップを検出する回線捕捉検出部を構成し、回線からの電流を検知して回線が捕捉された状態を検出する。
【００２９】
なお、回線端子１０７は、回線と接続され、通信ケーブルの差込口である。また、電話端子１０８は、外付電話１０６および外付電話フックアップ検出部２８０に接続され、通信ケーブルの差込口である。
【００３０】
ホスト部１１０は、通信制御部２００と接続された回線が異常と判断した場合、通信制御部２００に異常を表す信号を通知するものであり、交換機側抵抗値判断部１１１と、異常警告通知部１１２とを有している。
【００３１】
交換機側抵抗値判断部１１１は、異常警告通知部１１２と接続され、通信制御部２００の交換機側抵抗値計算部２０９で算出された値が閾値（所定の抵抗値）未満か否かを判断するものである。なお、閾値は、接続される回線に応じて適宜設定できるようになっている。
異常警告通知部１１２は、通信制御部２００と接続され、交換機側抵抗値計算部２０９で算出された値が交換機側抵抗値判断部１１１で閾値未満と判断された場合、ユーザに異常を知らせるために、回線異常通知（警告出力）としての警告文言等の印刷を指示するものである。
【００３２】
このように構成された通信端末装置１０２の回線制御部１０３は、直流ループ形成判断部２０４および外付電話フックアップ判断部２０６で回線が捕捉されていないことを検知した状態において、回線電圧検出部２３３で第１の回線電圧を検出し、回線電圧取得部２０７で回線電圧を取得し、直流ループ形成判断部２０４または外付電話フックアップ判断部２０６で回線が捕捉されたことを検知したとき、リレー２５０により回線と外付電話１０６とを切断した状態において、回線電圧検出部２３３で第２の回線電圧を検出し、回線電圧取得部２０７で回線電圧を取得するとともに、直流ループ形成部２４０で回線電流を検出し、回線電流取得部２０８でその回線電流を取得し、その第１の回線電圧、第２の回線電圧、および回線電流に基づいて交換機側抵抗値計算部２０９で図１に示す回線１０１ａに接続された交換機１０９の抵抗値を算出し、その抵抗値に基づいて回線の異常を検出した場合、回線１０１ａと外付電話１０６を切断する。
【００３３】
上述した構成の作用について説明する。
【００３４】
まず、図１に示す外付電話１０６をユーザがフックアップ（オフフック）し、交換機側の抵抗値が閾値以上で正常な回線に接続されていると判断される場合の通信端末装置１０２の回線制御部１０３の動作を、図３の実施例における回線制御部の動作を示すタイムチャートの図中Ｔで表すタイミングに従って図１および図２を参照しながら説明する。
【００３５】
Ｔ１：シリコンＤＡＡ２３０の回線電圧検出部２３３は、回線の電圧を検出する。この電圧は交換機側の電圧である。なお、外付電話１０６はオンフックの状態であり、外付電話フックアップ検出部２８０は、外付電話１０６のフックアップを検出していない状態である。
【００３６】
Ｔ２：通信制御部２００の回線電圧取得部２０７は、回線電圧検出部２３３で検出した回線の電圧（交換機側の電圧）を取得する。
【００３７】
ここで、回線電圧（交換機側の電圧）の取得方法を図１４（ａ）に基づいて説明する。
【００３８】
図１４（ａ）において、交換機側の電圧をＶ、交換機側の抵抗をＲ、シリコンＤＡＡ２３０側の直流保持部分の抵抗をＲDAA、シリコンＤＡＡ２３０側の直流保持部分の電圧をＶDAA、回線電流をＩDAAとする。
【００３９】
オンフック時は、回線制御部１０３側に流れる回線電流ＩDAAは[０]Ａとなる。したがって、オンフック時のシリコンＤＡＡ２３０側の直流保持部分の電圧（第１の回線電圧）ＶDAAは交換機側の電圧Ｖとなり、交換機側の電圧Ｖは通信制御部２００の回線電圧取得部２０７で取得可能となる。
【００４０】
Ｔ３：ユーザにより外付電話１０６がフックアップされると、外付電話フックアップ検出部２８０は、外付電話１０６のフックアップを検出する。
【００４１】
Ｔ４：通信制御部２００の外付電話フックアップ判断部２０６は、外付電話フックアップ検出部２８０からの出力により外付電話１０６がフックアップされたと判断する。
【００４２】
Ｔ５：外付電話フックアップ判断部２０６が、外付電話１０６がフックアップされたと判断すると、直流ループ形成指示部２０３は、シリコンＤＡＡ２３０側で回線を捕捉するため、直流ループ形成部２４０に回線の直流ループの形成を指示する。
【００４３】
Ｔ６：直流ループ形成部２４０は、回線の直流ループを形成する。
【００４４】
Ｔ７：直流ループ形成部２４０が直流ループを形成すると、通信制御部２００の直流ループ形成判断部２０４は、直流ループ形成部２４０が直流ループを形成したと判断する。
【００４５】
Ｔ８：直流ループ形成判断部２０４が、直流ループが形成されたと判断すると、リレー制御部２０５は、外付電話１０６を回線から切り離す（切断する）ため、リレー駆動回路２７０にリレー２５０のオンを指示する。
【００４６】
Ｔ９：リレー２５０が駆動され、外付電話１０６は回線から切り離される。
【００４７】
Ｔ１０：外付電話１０６は回線から切り離されると、シリコンＤＡＡ２３０の回線電圧検出部２３３は、回線の電圧を検出する。また、直流ループ形成部２４０で回線の直流電流を検出する。
【００４８】
Ｔ１１：回線電圧取得部２０７は、回線電圧検出部２３３から回線電圧を取得し、また回線電流取得部２０８は、直流ループ形成部２４０から回線電流を取得する。
【００４９】
このように、回線制御部１０３は、外付電話フックアップ検出部２８０でフックアップを検出（Ｔ３）すると、直流ループ形成部２４０で直流ループ形成（Ｔ６）するとともに、リレー２５０で回線と外付電話１０６を切断（Ｔ９）した状態において、回線電圧取得部２０７で第２の回線電圧を取得し、回線電流取得部２０８で回線電流を取得する。
【００５０】
Ｔ１２：交換機側抵抗値計算部２０９は、Ｔ２において取得した回線電圧と、Ｔ１１において回線電圧取得部２０７が取得した回線電圧および回線電流取得部２０８が取得した回線電流とに基づいて交換機側の抵抗値を算出する。
【００５１】
ここで、フックアップ（オフフック）時の交換機側の抵抗値の算出方法を図１４（ｂ）に基づいて説明する。
【００５２】
図１４（ｂ）において、交換機側の電圧をＶ、交換機側の抵抗をＲ、シリコンＤＡＡ２３０側の直流保持部分の抵抗をＲDAA、シリコンＤＡＡ２３０側の直流保持部分の電圧をＶDAA、回線電流をＩDAAとする。
【００５３】
フックアップ（オフフック）時は、回線制御部１０３側に、回線電流ＩDAAが流れる。この回線電流ＩDAAは、シリコンＤＡＡ２３０を通じて通信制御部２００で取得される。また、フックアップ（オフフック）時のシリコンＤＡＡ２３０側の直流保持部分の電圧（第２の回線電圧）ＶDAAも通信制御部２００で取得される。
【００５４】
Ｖ（第１の回線電圧）−ＶDAA（第２の回線電圧）＝ＩDAA（回線電流）×Ｒ（交換機側の抵抗）となり、交換機側の抵抗値Ｒは、Ｒ＝（Ｖ−ＶDAA）／ＩDAA
の計算式で計算される。
【００５５】
このようにして、交換機側抵抗値計算部２０９は、交換機側の抵抗値Ｒを算出する。
【００５６】
Ｔ１３：ホスト部１１０の交換機側抵抗値判断部１１１は、交換機側抵抗値計算部２０９が算出した交換機側の抵抗値が閾値以上であると判断し、正常な回線に接続されていると判断する。
【００５７】
Ｔ１４：リレー制御部２０５は、外付電話１０６を回線に接続するため、リレー駆動回路２７０にリレー２５０のオフを指示する。
【００５８】
Ｔ１５：リレー２５０がオフされ、外付電話１０６は回線に接続される。
【００５９】
Ｔ１６：直流ループ形成指示部２０３は、シリコンＤＡＡ２３０側で捕捉した回線を切断するため、直流ループ形成部２４０に回線の直流ループの形成の指示を停止する。
【００６０】
Ｔ１７：直流ループ形成部２４０は、回線の直流ループの形成を解除する。
【００６１】
Ｔ１８：通信制御部２００の直流ループ形成判断部２０４は、直流ループ形成部２４０が直流ループを形成していないと判断する。
【００６２】
以上により、ユーザは外付電話１０６による通話が可能になる。
【００６３】
次に、図１に示す外付電話１０６をユーザがフックアップ（オフフック）し、交換機側の抵抗値が閾値未満で異常な回線に接続されていると判断される場合の通信端末装置１０２の回線制御部１０３の動作を、図４の実施例における回線制御部の動作を示すタイムチャートの図中Ｔで表すタイミングに従って図１および図２を参照しながら説明する。
【００６４】
Ｔ１〜Ｔ１２：図３に示すＴ１〜Ｔ１２と同様なので説明を省略する。
【００６５】
Ｔ１３：ホスト部１１０の交換機側抵抗値判断部１１１は、交換機側抵抗値計算部２０９が算出した交換機側の抵抗値が閾値未満であると判断し、異常な回線に接続されていると判断する。
【００６６】
Ｔ１４：直流ループ形成指示部２０３は、シリコンＤＡＡ２３０側で捕捉した回線を切断するため、直流ループ形成部２４０に回線の直流ループの形成の指示を停止する。
【００６７】
Ｔ１５：直流ループ形成部２４０は、回線の直流ループの形成を解除する。
【００６８】
Ｔ１６：通信制御部２００の直流ループ形成判断部２０４は、直流ループ形成部２４０が直流ループを形成していないと判断する。
【００６９】
Ｔ１７：ホスト部１１０の異常警告通知部１１２は、ユーザに回線の異常を知らせるため、印刷部１０５で回線が異常である旨を印刷媒体に印刷する。
【００７０】
このように、回線制御部１０３は、交換機１０９の抵抗値に基づいて異常な回線に接続されていると判断した場合、回線異常の警告出力を行う。
【００７１】
以上により、回線制御部１０３は、回線の異常を検知し、ユーザに知らせることができる。
【００７２】
なお、Ｔ３からＴ１６までの動作を短時間で行うことにより、外付電話１０６および外付電話フックアップ検出部２８０の故障の発生を抑制する。
【００７３】
上述したように、図３および図４において、ユーザが外付電話をフックアップした場合を説明したが、他にユーザが外付電話をフックアップするものとして回線からの呼び出し信号としてのリング信号に応答する場合がある。この場合、図３および図４のＴ２からＴ３の間においてリング信号が到来してユーザが外付電話をフックアップし、以降の動作は図３および図４のＴ３以降の動作と同じになる。
【００７４】
回線からリング信号が到来した場合に、図１に示す外付電話１０６をユーザがフックアップ（オフフック）し、交換機側の抵抗値が閾値以上で正常な回線に接続されていると判断される場合の通信端末装置１０２の回線制御部１０３の動作を、図５の実施例における回線制御部の動作を示すタイムチャートの図中Ｔで表すタイミングに従って図１および図２を参照しながら説明する。
【００７５】
Ｔ１、Ｔ２：図３に示すＴ１、Ｔ２と同様なので説明を省略する。
【００７６】
Ｔ３：回線から通信端末装置１０２の回線制御部１０３にリング信号が到来すると、シリコンＤＡＡ２３０のリング検出部２３２がリング信号を検出する。
【００７７】
Ｔ４：通信制御部２００のリング検出判断部２０２は、リング信号が到来したと判断する。
【００７８】
なお、Ｔ３でリング検出部２３２、Ｔ４でリング検出判断部２０２の動作を示しているが、ユーザが外付電話１０６の鳴動音を聞いて外付電話１０６をフックアップするため、特にリング検出部２３２およびリング検出判断部２０２が動作する必要はない。図５では、リング検出部２３２およびリング検出判断部２０２が動作するものとして説明する。
【００７９】
Ｔ５〜Ｔ２０：図３に示すＴ３〜Ｔ１８と同様なので説明を省略する。
【００８０】
次に、回線からリング信号が到来した場合に、図１に示す外付電話１０６をユーザがフックアップ（オフフック）し、交換機側の抵抗値が閾値未満で異常な回線に接続されていると判断される場合の通信端末装置１０２の回線制御部１０３の動作を、図６の実施例における回線制御部の動作を示すタイムチャートの図中Ｔで表すタイミングに従って図１および図２を参照しながら説明する。
【００８１】
Ｔ１、Ｔ２：図４に示すＴ１、Ｔ２と同様なので説明を省略する。
【００８２】
Ｔ３：回線から通信端末装置１０２の回線制御部１０３にリング信号が到来すると、シリコンＤＡＡ２３０のリング検出部２３２がリング信号を検出する。
【００８３】
Ｔ４：通信制御部２００のリング検出判断部２０２は、リング信号が到来したと判断する。
【００８４】
なお、Ｔ３でリング検出部２３２、Ｔ４でリング検出判断部２０２の動作を示しているが、ユーザが外付電話１０６の鳴動音を聞いて外付電話１０６をフックアップするため、特にリング検出部２３２およびリング検出判断部２０２が動作する必要はない。図６では、リング検出部２３２およびリング検出判断部２０２が動作するものとして説明する。
【００８５】
Ｔ５〜Ｔ１９：図４に示すＴ３〜Ｔ１７と同様なので説明を省略する。
【００８６】
次に、回線からリング信号が到来し、図２に示すシリコンＤＡＡ２３０側で回線を捕捉し、交換機側の抵抗値が閾値以上で正常な回線に接続されていると判断し、ファクシミリ受信する場合の通信端末装置１０２の回線制御部１０３の動作を、図７の実施例における回線制御部の動作を示すタイムチャートの図中Ｔで表すタイミングに従って図１および図２を参照しながら説明する。
【００８７】
Ｔ１、Ｔ２：図３に示すＴ１、Ｔ２と同様なので説明を省略する。
【００８８】
Ｔ３：回線から通信端末装置１０２の回線制御部１０３にリング信号が到来すると、シリコンＤＡＡ２３０のリング検出部２３２がリング信号を検出する。
【００８９】
Ｔ４：通信制御部２００のリング検出判断部２０２は、リング信号が到来したと判断する。
【００９０】
Ｔ５：リング検出判断部２０２が、リング信号が到来したと判断すると、直流ループ形成指示部２０３は、シリコンＤＡＡ２３０側で回線を捕捉するため、直流ループ形成部２４０に回線の直流ループの形成を指示する。
【００９１】
Ｔ６：直流ループ形成部２４０は、回線の直流ループを形成する。
【００９２】
Ｔ７：直流ループ形成部２４０が直流ループを形成すると、通信制御部２００の直流ループ形成判断部２０４は、直流ループ形成部２４０が直流ループを形成したと判断する。
【００９３】
このように、回線制御部１０３は、ファクシミリ受信時、リング検出部２３２でリング信号を検出すると、直流ループ形成部２４０で直流ループを形成し、直流ループ形成判断部２０４は、直流ループ形成部２４０で直流ループが形成されたことを検出して回線が捕捉された状態を検出する。
【００９４】
Ｔ８：直流ループ形成判断部２０４が、直流ループが形成されたと判断すると、リレー制御部２０５は、外付電話１０６を回線から切り離す（切断する）ため、リレー駆動回路２７０にリレー２５０のオンを指示する。
【００９５】
Ｔ９：リレー２５０が駆動され、外付電話１０６は回線から切り離される。
【００９６】
Ｔ１０：外付電話１０６は回線から切り離されると、シリコンＤＡＡ２３０の回線電圧検出部２３３は、回線の電圧を検出する。また、直流ループ形成部２４０で回線の直流電流を検出する。
【００９７】
Ｔ１１：回線電圧取得部２０７は、回線電圧検出部２３３から回線電圧を取得し、また回線電流取得部２０８は、直流ループ形成部２４０から回線電流を取得する。
【００９８】
このように、回線制御部１０３は、直流ループ形成判断部２０４で直流ループが形成されたことを検出すると、リレー２５０で回線と外付電話１０６を切断した状態において、回線電圧検出部２３３で第２の回線電圧を検出（回線電圧取得部２０７で第２の回線電圧を取得）し、回線電流取得部２０８で回線電流を取得する。
【００９９】
Ｔ１２：交換機側抵抗値計算部２０９は、Ｔ２において取得した回線電圧と、Ｔ１１において回線電圧取得部２０７が取得した回線電圧および回線電流取得部２０８が取得した回線電流とに基づいて交換機側の抵抗値を算出する。
【０１００】
なお、交換機側の抵抗値の算出方法は図３のＴ１２と同様である。
【０１０１】
Ｔ１３：ホスト部１１０の交換機側抵抗値判断部１１１は、交換機側抵抗値計算部２０９が算出した交換機側の抵抗値が閾値以上であると判断し、正常な回線に接続されていると判断する。
【０１０２】
Ｔ１４：ＦＡＸ通信処理部２０１は、ファクシミリ通信（ファクシミリ受信）処理を開始する。
【０１０３】
Ｔ１５：ＦＡＸ通信処理部２０１は、ファクシミリ通信（ファクシミリ受信）処理を終了する。
【０１０４】
Ｔ１６：リレー制御部２０５は、外付電話１０６を回線に接続するため、リレー駆動回路２７０にリレー２５０のオフを指示する。
【０１０５】
Ｔ１７：リレー２５０がオフされ、外付電話１０６は回線に接続される。
【０１０６】
Ｔ１８：直流ループ形成指示部２０３は、シリコンＤＡＡ２３０側で捕捉した回線を切断するため、直流ループ形成部２４０に回線の直流ループの形成の指示を停止する。
【０１０７】
Ｔ１９：直流ループ形成部２４０は、回線の直流ループの形成を解除する。
【０１０８】
Ｔ２０：通信制御部２００の直流ループ形成判断部２０４は、直流ループ形成部２４０が直流ループを形成していないと判断する。
【０１０９】
次に、回線からリング信号が到来し、図２に示すシリコンＤＡＡ２３０側で回線を捕捉し、交換機側の抵抗値が閾値未満で異常な回線に接続されていると判断した場合の通信端末装置１０２の回線制御部１０３の動作を、図８の実施例における回線制御部の動作を示すタイムチャートの図中Ｔで表すタイミングに従って図１および図２を参照しながら説明する。
【０１１０】
Ｔ１〜Ｔ１２：図７に示すＴ１〜Ｔ１２と同様なので説明を省略する。
【０１１１】
Ｔ１３：ホスト部１１０の交換機側抵抗値判断部１１１は、交換機側抵抗値計算部２０９が算出した交換機側の抵抗値が閾値未満であると判断し、異常な回線に接続されていると判断する。
【０１１２】
Ｔ１４：リレー制御部２０５は、外付電話１０６を回線に接続するため、リレー駆動回路２７０にリレー２５０のオフを指示する。
【０１１３】
Ｔ１５：リレー２５０がオフされ、外付電話１０６は回線に接続される。
【０１１４】
このとき、外付電話１０６は、フックアップされていないため、リレー２５０をオフして外付電話１０６を回線に接続しても回線から外付電話１０６に過大な電流が流れることはない。
【０１１５】
なお、交換機側抵抗値判断部１１１が異常な回線に接続されていると判断した場合、リレー２５０のオン状態を維持し、外付電話１０６を回線から切り離した状態を維持するようにしても良い。
【０１１６】
Ｔ１６：直流ループ形成指示部２０３は、シリコンＤＡＡ２３０側で捕捉した回線を切断するため、直流ループ形成部２４０に回線の直流ループの形成の指示を停止する。
【０１１７】
Ｔ１７：直流ループ形成部２４０は、回線の直流ループの形成を解除する。
【０１１８】
Ｔ１８：通信制御部２００の直流ループ形成判断部２０４は、直流ループ形成部２４０が直流ループを形成していないと判断する。
【０１１９】
Ｔ１９：ホスト部１１０の異常警告通知部１１２は、ユーザに回線の異常を知らせるため、印刷部１０５で回線が異常である旨を印刷媒体に印刷する。
【０１２０】
このように、回線制御部１０３は、交換機１０９の抵抗値に基づいて異常な回線に接続されていると判断した場合、回線異常の警告出力を行う。
【０１２１】
以上により、回線制御部１０３は、回線の異常を検知し、ユーザに知らせることができる。
【０１２２】
なお、Ｔ５からＴ１８までの動作を短時間で行うことにより、シリコンＤＡＡ２３０の故障の発生を抑制する。
【０１２３】
次に、ファクシミリ送信時に、図２に示すシリコンＤＡＡ２３０側で回線を捕捉し、交換機側の抵抗値が閾値以上で正常な回線に接続されていると判断した場合の通信端末装置１０２の回線制御部１０３の動作を、図９の実施例における回線制御部の動作を示すタイムチャートの図中Ｔで表すタイミングに従って図１および図２を参照しながら説明する。
【０１２４】
Ｔ１、Ｔ２：図３に示すＴ１、Ｔ２と同様なので説明を省略する。
【０１２５】
Ｔ３：直流ループ形成指示部２０３は、シリコンＤＡＡ２３０側で回線を捕捉するため、直流ループ形成部２４０に回線の直流ループの形成を指示する。
【０１２６】
Ｔ４：直流ループ形成部２４０は、回線の直流ループを形成する。
【０１２７】
Ｔ５：直流ループ形成部２４０が直流ループを形成すると、通信制御部２００の直流ループ形成判断部２０４は、直流ループ形成部２４０が直流ループを形成したと判断する。
【０１２８】
Ｔ６：直流ループ形成判断部２０４が、直流ループが形成されたと判断すると、リレー制御部２０５は、外付電話１０６を回線から切り離す（切断する）ため、リレー駆動回路２７０にリレー２５０のオンを指示する。
【０１２９】
Ｔ７：リレー２５０が駆動され、外付電話１０６は回線から切り離される。
【０１３０】
Ｔ８：外付電話１０６は回線から切り離されると、シリコンＤＡＡ２３０の回線電圧検出部２３３は、回線の電圧を検出する。また、直流ループ形成部２４０で回線の直流電流を検出する。
【０１３１】
Ｔ９：回線電圧取得部２０７は、回線電圧検出部２３３から回線電圧を取得し、また回線電流取得部２０８は、直流ループ形成部２４０から回線電流を取得する。
【０１３２】
Ｔ１０：交換機側抵抗値計算部２０９は、Ｔ２において取得した回線電圧と、Ｔ９において回線電圧取得部２０７が取得した回線電圧および回線電流取得部２０８が取得した回線電流とに基づいて交換機側の抵抗値を算出する。
【０１３３】
なお、交換機側の抵抗値の算出方法は図３のＴ１２と同様である。
【０１３４】
Ｔ１１：ホスト部１１０の交換機側抵抗値判断部１１１は、交換機側抵抗値計算部２０９が算出した交換機側の抵抗値が閾値以上であると判断し、正常な回線に接続されていると判断する。
【０１３５】
Ｔ１２：ＦＡＸ通信処理部２０１は、ファクシミリ通信（ファクシミリ送信）処理を開始する。
【０１３６】
Ｔ１３：ＦＡＸ通信処理部２０１は、ファクシミリ通信（ファクシミリ送信）処理を終了する。
【０１３７】
Ｔ１４〜Ｔ１８：図７に示すＴ１６〜Ｔ２０と同様なので説明を省略する。
【０１３８】
次に、ファクシミリ送信時に、図２に示すシリコンＤＡＡ２３０側で回線を捕捉し、交換機側の抵抗値が閾値未満で異常な回線に接続されていると判断した場合の通信端末装置１０２の回線制御部１０３の動作を、図１０の実施例における回線制御部の動作を示すタイムチャートの図中Ｔで表すタイミングに従って図１および図２を参照しながら説明する。
【０１３９】
Ｔ１〜Ｔ１０：図９に示すＴ１〜Ｔ１０と同様なので説明を省略する。
【０１４０】
Ｔ１１：ホスト部１１０の交換機側抵抗値判断部１１１は、交換機側抵抗値計算部２０９が算出した交換機側の抵抗値が閾値未満であると判断し、異常な回線に接続されていると判断する。
【０１４１】
Ｔ１２：リレー制御部２０５は、外付電話１０６を回線に接続するため、リレー駆動回路２７０にリレー２５０のオフを指示する。
【０１４２】
Ｔ１３：リレー２５０がオフされ、外付電話１０６は回線に接続される。
【０１４３】
このとき、外付電話１０６は、フックアップされていないため、リレー２５０をオフして外付電話１０６を回線に接続しても回線から外付電話１０６に過大な電流が流れることはない。
【０１４４】
なお、交換機側抵抗値判断部１１１が異常な回線に接続されていると判断した場合、リレー２５０のオン状態を維持し、外付電話１０６を回線から切り離した状態を維持するようにしても良い。
【０１４５】
Ｔ１４：直流ループ形成指示部２０３は、シリコンＤＡＡ２３０側で捕捉した回線を切断するため、直流ループ形成部２４０に回線の直流ループの形成の指示を停止する。
【０１４６】
Ｔ１５：直流ループ形成部２４０は、回線の直流ループの形成を解除する。
【０１４７】
Ｔ１６：通信制御部２００の直流ループ形成判断部２０４は、直流ループ形成部２４０が直流ループを形成していないと判断する。
【０１４８】
Ｔ１７：ホスト部１１０の異常警告通知部１１２は、ユーザに回線の異常を知らせるため、印刷部１０５で回線が異常である旨を印刷媒体に印刷する。
【０１４９】
以上により、回線制御部１０３は、回線の異常を検知し、ユーザに知らせることができる。
【０１５０】
なお、Ｔ３からＴ１６までの動作を短時間で行うことにより、シリコンＤＡＡ２３０の故障の発生を抑制する。
【０１５１】
次に、図１に示す通信端末装置１０２の回線制御部１０３の動作を図１２の実施例における回路制御部の動作を示すフローチャートの図中Ｓで表すステップに従って図１、図２および図１３を参照しながら説明する。なお、図１３は実施例における直流保持およびリレーの動作状態を示す説明図であり、図１１（ａ）に示す直流ループ形成部２４０およびダイオードブリッジ２６０を図１１（ｂ）に示すように簡略化した回路図で表している。
【０１５２】
Ｓ１０１：シリコンＤＡＡ２３０の回線電圧検出部２３３は、回線の電圧を検出する。この電圧は交換機側の電圧である。なお、外付電話１０６はオンフックの状態であり、外付電話フックアップ検出部２８０は、外付電話１０６のフックアップを検出していない状態である。
【０１５３】
通信制御部２００の回線電圧取得部２０７は、回線電圧検出部２３３で検出した回線の電圧を取得する。
【０１５４】
このとき、図１３（ａ）に示すように、リレー２５０により外付電話１０６が回線に接続され、また直流ループ形成部２４０により直流ループが形成されていない状態である。
【０１５５】
Ｓ１０２：通信制御部２００は、シリコンＤＡＡ２３０側での回線捕捉の有無を判別し、回線を捕捉していない（ファクシミリ通信でない）と判別すると処理をＳ１０３へ移行し、回線を捕捉している（ファクシミリ通信である）と判別すると処理をＳ１１７へ移行する。
【０１５６】
Ｓ１０３：通信制御部２００の外付電話フックアップ判断部２０６は、外付電話フックアップ検出部２８０からの出力により外付電話１０６がフックアップされたか否かを判断し、フックアップされていないと判断すると処理をＳ１０２へ移行し、フックアップされていると判断すると処理をＳ１０４へ移行する。
【０１５７】
外付電話１０６がフックアップされた場合、図１３（ｂ）に示すように、リレー２５０により外付電話１０６が回線に接続され、また直流ループ形成部２４０により直流ループが形成されていない状態であって、交換機と外付電話１０６が通電している状態となる。
【０１５８】
Ｓ１０４：直流ループ形成指示部２０３は、シリコンＤＡＡ２３０側で回線を捕捉するため、直流ループ形成部２４０に回線の直流ループの形成を指示し、直流ループ形成部２４０は、回線の直流ループを形成して回線を捕捉する。
【０１５９】
このとき、図１３（ｃ）に示すように、直流ループ形成部２４０により直流ループが形成された状態となる。なお、リレー２５０により外付電話１０６が回線に接続され、交換機と外付電話１０６が通電している状態となっている。
【０１６０】
Ｓ１０５：リレー制御部２０５は、外付電話１０６を回線から切り離す（切断する）ため、リレー駆動回路２７０にリレー２５０のオンを指示し、リレー２５０を駆動し、外付電話１０６を回線から切断する。
【０１６１】
このとき、図１３（ｄ）に示すように、直流ループ形成部２４０により直流ループが形成された状態のまま、リレー２５０により外付電話１０６が回線から切断された状態となる。
【０１６２】
Ｓ１０６：外付電話１０６を回線から切断し、シリコンＤＡＡ２３０側でのみ回線を捕捉した状態になると、回線電圧取得部２０７は、回線電圧検出部２３３から回線電圧を取得し、また回線電流取得部２０８は、直流ループ形成部２４０から回線電流を取得する。交換機側抵抗値計算部２０９は、Ｓ１０１において取得した回線電圧と、回線電圧取得部２０７が取得した回線電圧および回線電流取得部２０８が取得した回線電流とに基づいて交換機側の抵抗値を算出する。
【０１６３】
Ｓ１０７：ホスト部１１０の交換機側抵抗値判断部１１１は、算出された交換機側の抵抗値が閾値以上であるか否かを判定し、閾値以上であると判定すると処理をＳ１１２へ移行し、閾値未満であると判定すると処理をＳ１０８へ移行する。
【０１６４】
Ｓ１０８：ホスト部１１０の交換機側抵抗値判断部１１１は、交換機側の抵抗値が閾値未満であると判定すると、異常な回線に接続、即ち過大電流を流す交換機に接続されていると判断する。
【０１６５】
Ｓ１０９：直流ループ形成指示部２０３は、シリコンＤＡＡ２３０側で捕捉した回線を切断するため、直流ループ形成部２４０に回線の直流ループの形成の指示を停止し、直流ループ形成部２４０は、回線の直流ループの形成を解除する。これにより、シリコンＤＡＡ２３０側で捕捉していた回線が開放される。このとき、リレー２５０の接点の状態はそのままの状態を保持し、外付電話１０６を回線から切り離したままとする。
【０１６６】
ここで、リレー２５０の接点の状態をそのままの状態で保持するのは、リレー２５０を回線側に切り替えてしまうと、再び、外付電話１０６および外付電話フックアップ検出部２８０に過大な回線電流が流れてしまうためである。
【０１６７】
このとき、図１３（ｅ）に示すように、リレー２５０により外付電話１０６が回線から切断された状態を保持し、直流ループ形成部２４０による直流ループの形成は解除された状態となる。
【０１６８】
Ｓ１１０：ホスト部１１０の異常警告通知部１１２は、ユーザに回線の異常を知らせるため、印刷部１０５で回線が異常である旨を印刷媒体に印刷し、通信端末装置１０２外へ排出する。
【０１６９】
Ｓ１１１：Ｓ１０９におけるリレー２５０の接点の状態は、通信端末装置１０２の電源がオフ／オンされるまで保持され、電源がオフ／オンされると一連の処理を終了し、Ｓ１０１へ移行する。
【０１７０】
Ｓ１１２：一方、Ｓ１０７において、交換機側の抵抗値が閾値以上であると判定したホスト部１１０の交換機側抵抗値判断部１１１は、正常な回線に接続されていると判断する。
【０１７１】
Ｓ１１３：リレー制御部２０５は、リレー駆動回路２７０にリレー２５０のオフを指示してリレー２５０をオフし、外付電話１０６と回線を接続する。
【０１７２】
このとき、図１３（ｆ）に示すように、リレー２５０により外付電話１０６が回線に接続された状態となる。なお、直流ループ形成部２４０により直流ループが形成された状態で、交換機と外付電話１０６が通電している状態となる。
【０１７３】
Ｓ１１４：直流ループ形成指示部２０３は、直流ループ形成部２４０に回線の直流ループの形成の指示を停止し、直流ループ形成部２４０は、回線の直流ループの形成を解除し、シリコンＤＡＡ２３０側で捕捉した回線を切断する。
【０１７４】
このとき、図１３（ｇ）に示すように、リレー２５０により外付電話１０６が回線に接続され、交換機と外付電話１０６が通電している状態で、直流ループ形成部２４０による直流ループの形成は解除された状態となる。
【０１７５】
Ｓ１１５：ユーザは、外付電話１０６を使用することができるようになり、通話が可能となる。例えば、ユーザは、外付電話１０６で通話相手にダイヤルして相手と通話する。
【０１７６】
Ｓ１１６：ユーザが外付電話１０６をオンフックして会話を終了すると、回線制御部１０３は、外付電話１０６のオンフックを検知して一連の処理を終了し、処理をＳ１０１へ移行する。
【０１７７】
このとき、図１３（ｈ）に示すように、直流ループ形成部２４０による直流ループの形成は解除された状態であって、リレー２５０により外付電話１０６が回線に接続された状態であるが、交換機と外付電話１０６は通電していない状態となる。
【０１７８】
このように、Ｓ１０１〜Ｓ１１６の処理で上述した図３〜図６で説明した外付電話１０６のフックアップ時の処理を行う。
【０１７９】
Ｓ１１７：一方、Ｓ１０２において、シリコンＤＡＡ２３０側で回線を捕捉している（ファクシミリ通信である）と判別されると、リレー制御部２０５は、外付電話１０６を回線から切り離す（切断する）ため、リレー駆動回路２７０にリレー２５０のオンを指示し、リレー２５０を駆動し、外付電話１０６を回線から切断する。
【０１８０】
このとき、図１３（ｉ）に示すように、直流ループ形成部２４０により直流ループが形成された状態のまま、リレー２５０により外付電話１０６が回線から切断された状態となる。
【０１８１】
Ｓ１１８：外付電話１０６を回線から切断し、シリコンＤＡＡ２３０側でのみ回線を捕捉した状態になると、回線電圧取得部２０７は、回線電圧検出部２３３から回線電圧を取得し、また回線電流取得部２０８は、直流ループ形成部２４０から回線電流を取得する。交換機側抵抗値計算部２０９は、Ｓ１０１において取得した回線電圧と、回線電圧取得部２０７が取得した回線電圧および回線電流取得部２０８が取得した回線電流とに基づいて交換機側の抵抗値を算出する。
【０１８２】
Ｓ１１９：ホスト部１１０の交換機側抵抗値判断部１１１は、算出された交換機側の抵抗値が閾値以上であるか否かを判定し、閾値以上であると判定すると処理をＳ１２０へ移行し、閾値未満であると判定すると処理をＳ１２４へ移行する。
【０１８３】
Ｓ１２０：交換機側の抵抗値が閾値以上であると判定したホスト部１１０の交換機側抵抗値判断部１１１は、正常な回線に接続されていると判断し、回線制御部１０３は、ファクシミリ通信（ファクシミリの送信または受信）を行う。
【０１８４】
Ｓ１２１：回線制御部１０３は、ファクシミリ通信が終了したと判定すると処理をＳ１２２へ移行する。
【０１８５】
Ｓ１２２：リレー制御部２０５は、リレー駆動回路２７０にリレー２５０のオフを指示してリレー２５０をオフし、外付電話１０６と回線を接続する。
【０１８６】
Ｓ１２３：直流ループ形成指示部２０３は、シリコンＤＡＡ２３０側で捕捉した回線を切断するため、直流ループ形成部２４０に回線の直流ループの形成の指示を停止し、直流ループ形成部２４０は、回線の直流ループの形成を解除する。これにより、シリコンＤＡＡ２３０側で捕捉していた回線が開放され、一連の処理が終了し、処理はＳ１０１へ移行される。
【０１８７】
このとき、図１３（ｊ）に示すように、リレー２５０により外付電話１０６が回線に接続された状態で、直流ループ形成部２４０による直流ループの形成は解除され、交換機と外付電話１０６は通電していない状態となる。
【０１８８】
Ｓ１２４：一方、Ｓ１１９において、交換機側の抵抗値が閾値未満であると判定したホスト部１１０の交換機側抵抗値判断部１１１は、異常な回線に接続、即ち過大電流を流す交換機に接続されていると判断する。
【０１８９】
Ｓ１２５：リレー制御部２０５は、リレー駆動回路２７０にリレー２５０のオフを指示してリレー２５０をオフし、外付電話１０６と回線を接続する。
【０１９０】
Ｓ１２６：直流ループ形成指示部２０３は、シリコンＤＡＡ２３０側で捕捉した回線を切断するため、直流ループ形成部２４０に回線の直流ループの形成の指示を停止し、直流ループ形成部２４０は、回線の直流ループの形成を解除する。
【０１９１】
このとき、図１３（ｊ）に示すように、リレー２５０により外付電話１０６が回線に接続された状態で、直流ループ形成部２４０による直流ループの形成は解除され、交換機と外付電話１０６は通電していない状態となる。
【０１９２】
Ｓ１２７：ホスト部１１０の異常警告通知部１１２は、ユーザに回線の異常を知らせるため、印刷部１０５で回線が異常である旨を印刷媒体に印刷し、通信端末装置１０２外へ排出する。これにより、一連の処理が終了し、処理はＳ１０１へ移行される。
【０１９３】
このように、Ｓ１０１、Ｓ１０２、Ｓ１１７〜Ｓ１２７の処理で上述した図７〜図１０で説明したファクシミリ通信時の処理を行う。
【０１９４】
上述したように、本実施例において、通信端末装置１０２の回線制御部１０３は、直流ループ形成判断部２０４および外付電話フックアップ判断部２０６で回線が捕捉されていないことを検知した状態において、回線電圧検出部２３３で第１の回線電圧を検出（回線電圧取得部２０７で第１の回線電圧を取得）し、直流ループ形成判断部２０４または外付電話フックアップ判断部２０６で回線が捕捉されたことを検知したとき、リレー２５０により回線と外付電話１０６とを切断した状態において、回線電圧検出部２３３で第２の回線電圧を検出（回線電圧取得部２０７で第２の回線電圧を取得）するとともに、回線電流取得部２０８で回線電流を検出して取得し、その第１の回線電圧、第２の回線電圧、および回線電流に基づいて交換機側抵抗値計算部２０９で図１に示す回線１０１ａに接続された交換機１０９の抵抗値を算出し、その抵抗値に基づいて回線の異常を検出した場合、回線１０１ａと外付電話１０６を切断するようにしたことにより、回線を捕捉したときに発生する通信端末装置１０２や外付電話１０６の故障を抑制することができる。
【０１９５】
即ち、外付電話１０６で回線を捕捉する前後において、交換機側の抵抗値を測定し、抵抗値が閾値未満の場合、過大電流が流れる回線に接続されていると判断し、リレー２５０による回線と外付電話１０６とを切断した状態を維持することにより、交換機の抵抗値が閾値よりも小さく、かつ外付電話１０６の直流抵抗が小さい場合において、外付電話１０６や外付電話フックアップ検出部２８０へ流れる過大電流による通信端末装置１０２の故障を抑制することができる。
【０１９６】
また、ファクシミリ通信（受信または送信）時に、シリコンＤＡＡ２３０側で回線を捕捉する前後において、交換機側の抵抗値を測定し、抵抗値が閾値未満の場合、過大電流が流れる回線に接続されていると判断し、回線を切断することにより、シリコンＤＡＡ２３０側へ流れる過電流による通信端末装置１０２の故障を抑制することができる。
さらに、交換機の抵抗値に基づいて回線の異常を検出した場合、ユーザに回線の異常を報知するようにしたことにより、通信端末装置１０２や外付電話１０６の故障を未然に防ぐことができる。
なお、本実施例では、ホスト部１１０の異常警告通知部１１２は、ユーザに回線の異常を報知するため、印刷部１０５で回線が異常である旨を印刷媒体に印刷するものとして説明したが、ディスプレイ等の表示部に回線が異常である旨を表示し、ユーザに回線の異常を報知するようにしても良い。
【０１９７】
以上説明したように、本実施例では、回線を捕捉したときに発生する通信端末装置や電話機の故障を抑制することができるという効果が得られる。
また、ユーザに回線の異常を報知するようにしたことにより、通信端末装置や電話機の故障を未然に防ぐことができるという効果が得られる。
なお、本実施例では、通信端末装置をファクシミリ装置として説明したが、それに限られるものでなく、ファクシミリ通信機能を有する複合機（ＭＦＰ）等としても良い。また、スキャナとプリンタがネットワークに介して接続された複合システムの通信端末装置としても良い。
【符号の説明】
【０１９８】
１０１ａ  回線、１０１ｂ  回線網
１０２  通信端末装置
１０３  回線制御部
１０４  スキャナ部
１０５  印刷部
１０６  外付電話
１０７  回線端子
１０８  電話端子
１０９  交換機
１１０  ホスト部
１１１  交換機側抵抗値判断部
１１２  異常警告通知部
２００  通信制御部
２０１  ＦＡＸ通信処理部
２０２  リング検出判断部
２０３  直流ループ形成指示部
２０４  直流ループ形成判断部
２０５  リレー制御部
２０６  外付電話フックアップ判断部
２０７  回線電圧取得部
２０８  回線電流取得部
２０９  交換機側抵抗値計算部
２１０  モデム
２２０  絶縁受渡部
２３０  シリコンＤＡＡ
２３２  リング検出部
２３３  回線電圧検出部
２４０  直流ループ形成部
２５０  リレー
２６０  ダイオードブリッジ
２７０  リレー駆動回路
２８０  外付電話フックアップ検出部
【図１】
2020072287.tif 000003
【図２】
2020072287.tif 000004
【図３】
2020072287.tif 000005
【図４】
2020072287.tif 000006
【図５】
2020072287.tif 000007
【図６】
2020072287.tif 000008
【図７】
2020072287.tif 000009
【図８】
2020072287.tif 000010
【図９】
2020072287.tif 000011
【図１０】
2020072287.tif 000012
【図１１】
2020072287.tif 000013
【図１２】
2020072287.tif 000014
【図１３】
2020072287.tif 000015
【図１４】
2020072287.tif 000016